(57)【要約】【課題】磁気記録層が設けられていない白紙状のカード基材に対しても、カードデザインに応じた印刷画像や個人情報などの画像を形成するともに、磁気記録層を同時に形成することが可能な中間転写フィルムを提供しようとするものである。【解決手段】基材上に剥離可能に受像層を有し、熱転写シートを用いて、前記受像層に画像を形成し、その後、被転写体に再転写するための中間転写フィルムであって、前記中間転写フィルムにおいて、少なくとも一部に磁気記録層が、剥離可能に設けられてなることを特徴とする中間転写フィルムである。【選択図】図１
2020062753.tif 000002
【特許請求の範囲】
【請求項１】
基材上に剥離可能に受像層を有し、熱転写シートを用いて、前記受像層に画像を形成し、その後、被転写体に画像を含む前記受像層を転写するための中間転写フィルムであって、
前記中間転写フィルムにおいて、少なくとも一部に磁気記録層が、剥離可能に設けられてなることを特徴とする中間転写フィルム。
【請求項２】
前記磁気記録層が、ストライプ形状に設けられてなることを特徴とする請求項１に記載の中間転写フィルム。
【請求項３】
基材上に、少なくとも受像層と磁気記録層とを、剥離可能に設けた中間転写フィルムを準備する工程と、
前記中間転写フィルムの前記受像層を形成した面に対し、熱転写シートを対向配置し、サーマルヘッドを用いて、前記受像層に画像形成する工程と、
前記中間転写フィルムの前記画像形成された受像層面側と、被転写体とを対向配置し、前記中間転写フィルム側から熱ローラを用いて熱圧を加えることによって、前記受像層と前記磁気記録層とを、前記被転写体に対して転写する工程と、を有することを特徴とする情報記録媒体の作成方法。
【発明の詳細な説明】
【技術分野】
【０００１】
本発明は、画像を一旦受像層に記録し、その後に、その受像層を被転写体に転写することによって、印画物を形成する中間転写フィルムならびにそれを用いた情報記録媒体の作成方法に関し、特に、白紙状の被転写体から磁気記録層を含む情報記録媒体を作成する方法に関するものである。
【背景技術】
【０００２】
インク層を有する熱転写シートを用いて、サーマルヘッド印字による画像形成を行なう手法は既に公知の技術であり、カードへの印字や写真画像の出力、シール類への印字など多様な用途に用いられている。しかし、これらの印字手法の多くは、特定の受像層を媒体表面に設ける必要があり、その組合せが限定されるという問題があった。
【０００３】
そこで、熱転写シートを用いて、特定の受像層を有する中間転写フィルム上に画像を形成し、その後、被転写体に画像を含む受像層を転写することにより、最終印画媒体のベース基材を選ばずに多色画像を形成することが可能な手法として、中間転写フィルムなどを用いる中間転写方式が提案されてきた（例えば、特許文献１）。
【０００４】
中間転写方式は、主にパスポートやＩＤ（Ｉｄｅｎｔｉｔｙ）カードなどの個人認証媒体に対して、顔写真画像などの可変情報を形成する手段として用いられてきた経緯がある。
【０００５】
しかし、近年カード用途の拡大などに伴い、カードデザインの多様化やカード製造コストの低減が強く求められてきている。
【０００６】
このため、従来あらかじめカード基材に設けられていた印刷画像などを排除した白紙状のカード基材を低コストで作成し、カードデザインに応じた印刷画像や個人情報などの可変情報も含めた画像形成を中間転写方式で形成したいという要望が高まってきている。
【０００７】
しかしながら、カードに求められる機能として、目視により認識される画像情報に加えて、機械読取用の情報を担持することが求められる場合も多く、従来から広く用いられている磁気読取機能を付与するための磁気記録層を設けることが求められる場合があった。
【０００８】
そのため、白紙状のカード基材であっても、磁気記録層のみを有するカード基材を別途作成する必要があった。
【先行技術文献】
【特許文献】
【０００９】
【特許文献１】特開昭６３−１７３６９３号公報
【発明の概要】
【発明が解決しようとする課題】
【００１０】
本発明は上記事情を考慮してなされたもので、その目的とするところは、磁気記録層が設けられていない白紙状のカード基材に対しても、カードデザインに応じた印刷画像や個人情報などの画像を形成するともに、磁気記録層を同時に形成することが可能な中間転写フィルムを提供しようとするものである。
【課題を解決するための手段】
【００１１】
前記目的を達成するための第１の発明は、基材上に剥離可能に受像層を有し、熱転写シートを用いて、前記受像層に画像を形成し、その後、被転写体に画像を含む前記受像層を転写するための中間転写フィルムであって、前記中間転写フィルムにおいて、少なくとも一部に磁気記録層が、剥離可能に設けられてなることを特徴とする中間転写フィルムである。
【００１２】
また、第２の発明は、前記磁気記録層が、ストライプ形状に設けられてなることを特徴とする請求項１に記載の中間転写フィルムである。
【００１３】
第３の発明は、基材上に、少なくとも受像層と磁気記録層とを、剥離可能に設けた中間転写フィルムを準備する工程と、前記中間転写フィルムの前記受像層を形成した面に対し、熱転写媒体を対向配置し、サーマルヘッドを用いて、前記受像層に画像形成する工程と、前記中間転写フィルムの前記画像形成された受像層面側と、被転写体とを対向配置し、前記中間転写フィルム側から熱ローラを用いて熱圧を加えることによって、前記受像層と前記磁気記録層とを、前記被転写体に対して転写する工程と、を有することを特徴とする情報記録媒体の作成方法である。
【発明の効果】
【００１４】
本発明によれば、磁気記録層などを含まない白紙状の被転写体に対して、任意の画像を形成すると共に、磁気記録層を付与した情報記録媒体を作成することが可能となる。
【図面の簡単な説明】
【００１５】
【図１】本発明の実施形態に係る中間転写フィルムの構成例を示す断面図である。
【図２】本発明の実施形態に係る中間転写フィルムの別の構成例を示す断面図である。
【図３】本発明の実施形態に係る中間転写フィルムの例を示す平面図である。
【図４】本発明の実施形態に係る情報記録媒体の作成方法を示す概念図である。
【図５】熱転写シートの例を示す平面図である。
【図６】本発明の実施形態に係る情報記録媒体の例を示す平面図である。
【発明を実施するための形態】
【００１６】
以下、本発明の実施形態について、図面を参照しながら詳細に説明する。なお、以下の説明において適宜図面を参照するが、図面に記載された態様は本発明の例示であり、本発明はこれらの図面に記載された態様に制限されない。
【００１７】
（中間転写フィルム）
図１は、本発明の実施形態に係る中間転写フィルムの構成例を示す断面図である。図１において、中間転写フィルム（１０）は、基材（１１）上に受像層（１２）と磁気記録層（１３）が設けられている。
【００１８】
基材（１１）は、中間転写フィルムの製造時、および被転写体に熱転写する際に加わる熱圧に対し、変形等の少ない耐熱性が要求され、例えば、ポリエチレンテレフタレート（ＰＥＴ）、ポリエチレンナフタレート（ＰＥＮ）、ポリカーボネート、ポリメタクリル酸メチル、ポリスチレン、高密度ポリエチレン、ポリプロピレン、ポリビニルアルコール等の合成樹脂、紙、合成紙などから単独で選択されたもの、あるいはこれらから選択された複合体などを挙げることができるが、必ずしもこれらに限定されるものではない。
【００１９】
また、支持体１５は、易接着処理や帯電防止処理、離型処理などの各種処理が施されてあっても良く、その厚みは、操作性、加工性を考慮し、２〜１００μｍのものが使用できるが、被転写体への転写適性等のハンドリング性の点から６〜５０μｍ程度のものを好適に用いることができる。
【００２０】
受像層（１２）は、後述する熱転写シートからインク層を受容して画像を形成するための層であり、例えば、線状飽和ポリエステル等のポリエステル系樹脂、ポリ塩化ビニルや塩化ビニル−酢酸ビニル共重合体等のビニル系樹脂、ポリ（メタ）アクリル酸、ポリ（メタ）アクリル酸エステルなどのアクリル系樹脂、ポリスチレン系樹脂、エポキシ系樹脂、ウレタン系樹脂、スチレン−ブタジエン共重合体などのゴム系材料、などを例示することができるが、必ずしもこれらに限定されるものではなく、各種樹脂を単独あるいは混合物や共重合体などの複合物として用いることができる。
【００２１】
受像層（１２）は、上述のような樹脂類を各種溶媒に溶解または分散して塗布液とし、グラビアコート法、ロールコート法、ナイフコート法、カーテンコート法、ダイコート法など従来公知の任意のコーティング法、あるいはグラビア印刷法、スクリーン印刷法、フレキソ印刷法など従来公知の任意の印刷法により、乾燥後の厚み、０．５μｍ〜５０μｍの範囲で設けることができる。
【００２２】
磁気記録層（１３）は、磁気的に情報を記録することが可能なものであれば、いずれも用いることができ、例えば、γ−酸化鉄、マグネタイト、コバルト被着γＦｅ２Ｏ２、バリウムフェライト、２酸化クロム、鉄系メタル磁性粉などの磁性粉をバインダ樹脂中に分散した磁性塗料を上述のようなコーティング法あるいは印刷法によって形成したものなどを例示することができるが、必ずしもこれらに限定されるものではない。
【００２３】
バインダ樹脂としては、同様の目的で用いられる樹脂材料であれば、従来公知のものをいずれも用いることができ、例えば、熱可塑性樹脂や熱硬化性樹脂などを例示することができる。
【００２４】
熱可塑性樹脂を用いる場合には、アクリル系樹脂、ポリエステル系樹脂、塩化ビニル−酢酸ビニル共重合体などのビニル系樹脂、ウレタン系樹脂などを例示することができるが、必ずしもこれらに限定されるものではない。
【００２５】
また、熱硬化性樹脂を用いる場合には、アクリル系ポリオール樹脂、ポリエステル系ポリオール樹脂、ビニルアルコール成分やヒドロキシアルキルアクリレート成分などを含む塩化ビニル−酢酸ビニル共重合体などのような、反応性ヒドロキシル基を有する各種樹脂とポリイソシアネート化合物などの架橋剤とからなる熱硬化性樹脂、ユリア樹脂、フェノール樹脂、メラミン樹脂、エポキシ樹脂などの熱硬化性樹脂を例示することができるが、これらに限定されるものではない。
【００２６】
磁気記録層（１３）として、上述のような磁性塗料を用いた場合には、必要に応じて、界面活性剤、可塑剤、ワックス類、カーボンブラックやフィラー類などを添加することができ、塗布、乾燥後の厚さとしては、例えば、５〜２０μｍ程度とすることができる。
【００２７】
このような磁気記録層（１３）は、予め別の支持体上に形成した後に、中間転写フィルム（１０）上に転写形成する方法が取られても何ら問題ない。
【００２８】
上述のような磁気記録層（１３）は、いずれの手法で形成された場合であっても、中間転写フィルム（１０）上において、ストライプ形状に設けられていることが望ましい。
【００２９】
中間転写フィルム（１０）において、受像層（１２）、磁気記録層（１３）は、基材（１１）から剥離可能に形成されていることが重要であり、受像層（１２）や磁気記録層（１３）と、基材（１１）との間には、剥離性を付与するための剥離層や中間層などが形成されてあっても良く、また少なくとも磁気記録層（１３）の表面には、接着層などが別途設けられていても良い。
【００３０】
図２では、中間転写フィルム（１０）の別の構成例として、受像層（１２）や磁気記録層（１３）と、基材（１１）との間に、共通の剥離層（１４）を設け、磁気記録層（１３）上に、接着層を兼ねた受像層（１２）を形成する例を示しているが、必ずしも受像層（１２）と磁気記録層（１３）に対する剥離層（１４）が、共通である必要はなく、異なる層として設けられていても良く、磁気記録層（１３）上の接着層も受像層（１２）と異なる熱可塑性樹脂を設けていても良い。
【００３１】
剥離層（１４）としては、基材（１１）から容易に剥離する材料であれば、如何なる樹脂でも用いることができるが、柔軟性、箔切れ性を考慮し、熱可塑性樹脂が好ましく用いられる。
【００３２】
具体的には、例えば、熱可塑性ポリ（メタ）アクリル酸エステルなどのアクリル系樹脂、塩化ゴム系樹脂、塩化ビニル−酢酸ビニル共重合体などのビニル系樹脂、ニトロセルロースやトリアセチルセルロースなどのセルロース系樹脂、エポキシ系樹脂、ポリエステル系樹脂、スチレンアクリレート系樹脂、ポリエーテル系樹脂、ポリカーボネート樹脂、ノルボルネン樹脂等を単独あるいは２種以上の複合として用いることができ、さらに箔切れや耐磨耗性を考慮して、石油系ワックス、植物系ワックス等の各種ワックス類や、ステアリン酸等高級脂肪酸の金属塩、シリコーンオイル等の滑剤や、フッ素樹脂系パウダー、ポリエチレンパウダー、シリコーン系微粒子などの各種添加剤が添加されてあっても良い。
【００３３】
上記剥離層（１４）は、上述の樹脂類に各種添加剤を添加し、各種溶媒に溶解または分散した塗布液とすることにより、グラビアコート法、ロールコート法、ナイフコート法、カーテンコート法、ダイコート法など従来公知の任意のコーティング法や、グラビア印刷法、スクリーン印刷法、フレキソ印刷法などの従来公知の任意の印刷法などにより、乾燥後の厚み、０．５μｍ〜５０μｍの範囲で設けることができる。
【００３４】
また、剥離層（１４）と、受像層（１２）や磁気記録層（１３）との間に中間層を設けても良く、中間層としては、剥離層（１４）と各層との密着性を向上させることを目的とした樹脂層や部分的な着色層、更にはセキュリティ性を付与するための特殊印刷層、ＯＶＤ（Ｏｐｔｉｃａｌ  Ｖａｒｉａｂｌｅ  Ｄｅｖｉｃｅ）層などを設けることができる。
【００３５】
中間層として特殊印刷層を設ける場合において、特殊印刷層としては、例えば、紫外線領域から赤外線領域における特定波長の光のみを吸収する吸収インキからなる印刷層や、同じく紫外線領域から赤外線領域における特定波長の光を吸収して、吸収した光と異なる波長領域の光を発光する発光インキからなる印刷層、更には直線偏光性あるいは円偏光性を有する液晶材料などを含むインキ層からなる印刷層、または干渉光などを放出することが可能な特殊顔料を含むインキ層からなる印刷層などを例示することができるが、必ずしもこれらに限定されるものではない。
【００３６】
また中間層としてＯＶＤ層を設ける場合において、ＯＶＤ層としては、例えば、ホログラムや、表面に凹凸構造を有するレリーフ構造形成層などを例示することができる。
【００３７】
レリーフ構造形成層を設ける場合には、レリーフ構造形成層の凹凸構造を形成した面上に、更に反射層などを設けることによって、視認性を向上させても良い。
【００３８】
反射層としては、例えば、Ａｌ、Ｓｎ、Ｃｒ、Ｎｉ、Ｃｕ、Ａｕ、Ａｇなどの金属類ならびにこれらの合金からなる群より選択される少なくとも１つの金属材料を部分的に設けたものや、レリーフ構造形成層の材料とは屈折率の異なる透明材料であって、例えば、Ｓ
ｂ２Ｓ３、Ｆｅ２Ｏ３、ＴｉＯ２、ＣｄＳ、ＣｅＯ２、ＺｎＳ、ＳｉＯ、Ｓｉ２Ｏ３、ＺｎＯ、ＭｇＯなどの無機材料を例示することができ、これら金属材料と無機材料とを少なくとも一部が重なるようにするなどの複合的に用いる方法や、屈折率の異なる無機材料同士を積層して用いるなどの方法が取られてあっても良い。
【００３９】
上述のような中間転写フィルム（１０）において、ストライプ形状に設けられる磁気記録層（１３）は、中間転写フィルム（１０）の搬送方向に対して、直交する方向に、一定の間隔で、複数設けられていても良いし、図３に示すように、中間転写フィルム（１０）の搬送方向に沿って設けられていても良い。
【００４０】
磁気記録層（１３）を中間転写フィルム（１０）に対して、直接コーティング法あるいは印刷法を用いて形成する場合には、磁気記録層（１３）中に含まれる磁性粉を一定方向に配向する工程を設けることが好ましく、その際には、図３に示すような中間転写フィルム（１０）の搬送方向に沿ったストライプ形状であることが望ましいと言える。
【００４１】
ただし、図３のような形状で磁気記録層（１３）を設ける場合には、磁気記録層（１３）形成部と、非形成部との総厚をほぼ同じ厚さとすることが望ましい。
【００４２】
これは、中間転写フィルム（１０）を巻き形状で保管する際に、巻きズレ等を防ぐためである。
【００４３】
また、図３のように、中間転写フィルム（１０）の搬送方向に沿って、磁気記録層（１３）を設ける場合には、１本のストライプ形状として設けても良いが、一定長のストライプ形状を複数連なるように形成されていても良いし、１本のストライプ形状の磁気記録層（１３）に対して、一定間隔で、切込み部などが形成されていても良い。
【００４４】
その様にすることにより、中間転写フィルム（１０）から、被転写体に転写する際に、磁気ストライプ部の箔切れ不良などによる不具合を低減することができる。
【００４５】
（情報記録媒体の作成方法）
図４は、上述のような中間転写フィルム（１０）を用いて、情報記録媒体を作成する画像形成装置の例を示す概念図である。
【００４６】
画像形成装置は、上述の様にして得られた中間転写フィルム（１０）と、熱転写シート用基材上にインク層を設けてなる熱転写シート（３０）とを対向配置し、サーマルヘッド（２５）を用いて、中間転写フィルム（１０）の受像層（１２）上に画像を形成する１次転写部（２８）と、熱ローラ（２６）を用いて、被転写体（２７）に中間転写フィルム（１０）から受像層（１２）ならびに磁気記録層（１３）を転写する２次転写部（２９）とからなっている。
【００４７】
ここで、１次転写部（２８）では、図５に例示するような熱転写シート（３０）を用いて、最終的な情報記録媒体に求められるデザイン等に基づく絵柄模様や、個人情報などの可変情報を含めて、受像層（１２）上に画像形成がなされる。
【００４８】
その後、２次転写部（２９）において、剥離層（１４）などを含めて、画像形成された受像層（１２）ならびに磁気記録層（１３）を、磁気記録層を含まない白紙状の被転写体（２７）に転写することによって、最終的な情報記録媒体が形成される。
【００４９】
図５では、熱転写シート（３０）として、熱転写シート用基材（３１）上に、シアン（Ｃ）、マゼンタ（Ｍ）、イエロー（Ｙ）、ブラック（Ｂｋ）の各色素を含むインキ層（３２）が、面順次に設けられている様子を示している。
【００５０】
熱転写シート（３０）に用いることのできる熱転写シート用基材（３１）としては、従来、昇華転写型や溶融転写型用として一般に用いられているものを用いることができる。
【００５１】
具体的には、ポリエチレンテレフタレート、ポリエチレンナフタレート、ポリプロピレン、セロファン、ポリカーボネート、ポリ塩化ビニル、ポリスチレン、ポリイミド、ナイロン、ポリ塩化ビニリデン等のプラスチックフィルムや、コンデンサペーパー、パラフィン紙等の紙類などを例示することができるが、特に好ましいのはポリエチレンテレフタレートやポリエチレンナフタレートなどのポリエステル系のフィルムである。
【００５２】
熱転写シート用基材（３１）の厚みとしては、２〜５０μｍのものを用いることができるが、より好ましくは、２〜ｌ６μｍである。
【００５３】
このような熱転写シート用基材（３１）には、状況に応じて、各種インキ層が設けられる面とは反対側の面に耐熱滑性層などが設けられてあっても良いし、また任意の面に帯電防止用、易接着用、離型用などの各種処理あるいは機能層などが、全面あるいは任意の場所に施されてあっても良い。
【００５４】
図５に示したインキ層（３２）は、シアン（Ｃ）、マゼンタ（Ｍ）、イエロー（Ｙ）、ブラック（Ｂｋ）であるが、用途に応じて特別に調合した特色や蛍光などのインキ層が設けられてあっても何ら問題ない。
【００５５】
このようなインキ層（３２）は、昇華転写型、溶融転写型などいずれのタイプのものが用いられても良いが、個人認証などを目的とする用途においては、高い耐久性などの観点から、溶融転写型のタイプを好適に用いることができる。
【００５６】
溶融型のインキ層（３２）は、主に色素、バインダ樹脂、ワックス類などを含有している。
【００５７】
色素としては、無機顔料、有機顔料などを任意に選定して用いることができ、具体的には、例えば、カーボンブラックをはじめ、フタルイミド系イエロー、ベンズイミダゾロンオレンジ、スルホアミドイエロー、ベンズイミダゾロンイエロー等のアゾ顔料、フタロシアニン顔料、ジケトピロロピロール、キノフタロン、イソインドリノン、ジアミノジアントラキノンなどを例示することができるが、これらに限定されるものではない。
【００５８】
これらの色素は、１種類もしくは２種以上を組み合わせて用いられてもよく、状況に応じて染料などを添加して用いられてもよい。
【００５９】
また、バインダ樹脂としては、ポリ塩化ビニリデンなどのビニル系樹脂、エチレン−酢酸ビニル共重合体、ポリアミド系樹脂、ロジン系樹脂、アクリル系樹脂、スチレン系樹脂、エポキシ系樹脂、ウレタン系樹脂、ポリエステル系樹脂などを例示することができるが、これらに限定されるものではなく、単独あるいは混合物または複合物として用いることができる。
【００６０】
ワックス類としては、カルナバワックス、キャンデリラワックスなどの植物系ワックス、蜜蝋などの動物系ワックス、モンタンワックス、オゾケライトなどの鉱物系ワックス、パラフィンワックス、マイクロクリスタリンワックスなどの石油系ワックスといった天然ワックス、あるいはフィッシャー・トロプシュワックス、ポリエチレンワックスなどの合成ワックスや酸化ワックス、ステアリン酸亜鉛などの高級脂肪酸金属塩などから任意に選定して用いることができる。
【００６１】
また、インキ層（３２）には必要に応じて、分散剤などの各種添加剤が加えられてあっても何ら問題ない。
【００６２】
熱転写シート（３０）のインキ層（１２）の厚みとしては、１．２μｍ未満であることが望ましい。
【００６３】
このような熱転写シート（３０）を用いて、中間転写フィルム（１０）の受像層（１２）に画像形成した後に、２次転写部（２９）において転写される白紙状の被転写体（２７）としては特に限定されるものではなく、例えば、紙をはじめとして、塩化ビニル樹脂、ポリカーボネート樹脂、ポリエチレンテレフタレートなどのポリエステル系樹脂、ポリプロピレンなどのポリオレフィン系樹脂、アクリル系樹脂、ポリ乳酸などの生分解性樹脂、アクリロニトリル−ブタジエン−スチレン共重合体（ＡＢＳ樹脂）などを例示することができ、これら各種材料を単独あるいは混合物や共重合体などの複合物として用いることができる。
【００６４】
また、これらの材料は、例えば、酸化チタンや炭酸カルシウム、シリカ、タルクなどのフィラー類や、ボイドなどの空隙を含んでいても良く、単独の層あるいは、２層以上の積層物として用いられても良い。
【００６５】
図６には、最終的印画物である情報記録媒体（４０）の例を示している。例えば、磁気記録層などが設けられていない白紙状の塩化ビニル樹脂からなるシートをカード形状に加工したものを被転写体として、本発明の中間転写フィルム（１０）を用いて、画像形成ならびに、磁気記録層の付与を実施することにより、情報記録媒体（４０）が作成される。
【００６６】
図６では、情報記録媒体（４０）として、カードデザインに応じた絵柄模様を設けた第１画像形成部（４１）と、個人情報である顔写真画像を設けた第２画像形成部（４２）を有し、機械読取可能な磁気情報を記録する磁気記録層（４３）が形成されたカードを例示している。
【００６７】
上述のように、本発明の中間転写フィルム、およびそれを用いた情報記録媒体の作成方法により、白紙状の被転写体に対して、所望の絵柄を形成すると共に、磁気記録層を付与することが可能となり、低コストで作成された被転写体を用いて、情報記録媒体を作成することが可能となる。
【符号の説明】
【００６８】
１０  …  中間転写フィルム
１１  …  基材
１２  …  受像層
１３、４３  …  磁気記録層
１４  …  剥離層
２１  …  中間転写フィルム巻出部
２２  …  中間転写フィルム巻取部
２３  …  熱転写シート巻出部
２４  …  熱転写シート巻取部
２５  …  サーマルヘッド
２６  …  熱ローラ
２７  …  被転写体
２８  …  １次転写部
２９  …  ２次転写部
３０  …  熱転写シート
３１  …  熱転写シート用基材
３２  …  インキ層
４０  …  情報記録媒体
４１  …  第１画像形成部
４２  …  第２画像形成部
Ｃ    …  シアン
Ｍ    …  マゼンタ
Ｙ    …  イエロー
Ｂｋ  …  ブラック
【図１】
2020062753.tif 000003
【図２】
2020062753.tif 000004
【図３】
2020062753.tif 000005
【図４】
2020062753.tif 000006
【図５】
2020062753.tif 000007
【図６】
2020062753.tif 000008